(57)【特許請求の範囲】
【請求項１】
六角棒は、長尺部（１）と短尺部（２）の間に曲げ部（３）があり、
該長尺部（１）には、短尺部（２）を六角穴付ボルトに差し込んだ場合に、長尺部の回転する方向に５度から４５度の範囲で曲げて、湾曲部（４）を設けることを特徴とする回転方向が分かる六角レンチ。
【発明の詳細な説明】
【技術分野】
【０００１】
本発明は、六角レンチの形で回転方向をあらわした、回転方向が分かる六角レンチに関するものである。
【背景技術】
【０００２】
従来の六角レンチは、六角棒を折り曲げ、その折り曲げ部は９０度に曲げ、曲げた位置は短尺部の３センチと、長尺部の６センチ以上に別ける。その短尺部は、六角穴付ボルトの穴に、六角レンチの短い方を挿し込み、六角レンチの長尺部を握って回すと梃子の原理で、中央の六角穴付ボルトは締まったり、緩めたりすることができる。
【０００３】
また、トルクが要らない場合には、長尺部を六角穴付ボルトに差し込こんで回すと、短尺部の範囲で回転するため、長尺部が回転するより速く六角穴付ボルトを外したり、閉めたりできる。その理由は、六角穴付ボルトを締めたり、緩めたりするとき、端に障害物が無いことは考え難く、障害物に当たるたびに六角レンチを、六角穴付ボルトから外して、差し込みなおす作業が必要であった。しかし、長尺部を差し込んで、短尺部を回転させれば、当たる範囲が少なくなり、作業を進めることができる。
【先行技術文献】
【特許文献】
【０００４】
【特許文献１】特開２００９−４５７２４
【特許文献２】特開２００６−２１２７６０
【特許文献３】特開２００２−３６１３０
【特許文献４】特開２０００−２８８９５２
【発明の概要】
【発明が解決しようとする課題】
【０００５】
従来の六角レンチは、六角棒を折り曲げ、曲げた位置は短尺部と長尺部に別ける。その短尺部は、六角穴付ボルトの穴に、六角レンチの短い方を挿し込み、六角レンチの長尺部を握って回すと梃子の原理で、中央の六角穴付ボルトは締まったり、緩めたりすることができる。しかし、この六角レンチは、通常六角穴付ボルトが上を向いているときは、回す方向を間違うことは少ない。
【０００６】
しかし、六角穴付ボルトが下を向いていて、当然六角穴付ボルトの頭が見えないとき、手探りで六角穴付ボルトに六角レンチを挿入して回すときに、弛める方向が分かり難い。そのため、回す方向が半信半疑であったため、弛める方向に回しているつもりでも、もしかすると逆では無いかと思う。そして思っただけで、力は自動的に半減し、間違っていれば締めすぎて、機械またはネジを壊すことがあった。そして錆び付いているときには、どちらに回しても動かない。そんなときには、回転方向を示す方法として、長尺部に色分けをして、緩める方向を示していたものもあった。
【０００７】
そこで、本発明の回転方向が分かる六角レンチは、長尺部（１）の中央を回転方向に少し曲げて、湾曲部（４）を設けることで、見ただけで緩める方向が分かる、回転方向が分かる六角レンチを提供するものである。
【課題を解決するための手段】
【０００８】
上記目的を達成するために、本発明の回転方向が分かる六角レンチは、六角棒を長尺部（１）と短尺部（２）の間に、凡そ９０度曲げて、その部分を曲げ部（３）とする。そして長尺部（１）の中央を、短尺部（２）が六角穴付ボルトに差し込んだ場合に、長尺部（１）の回転する方向に５度から４５度の範囲で曲げて、その部分を湾曲部（４）とし、その湾曲部（４）を設けることで目的を達成した。
【発明の効果】
【０００９】
本発明の回転方向が分かる六角レンチは、次のような効果がある。
（イ）回転方向が分かる六角レンチの形が、緩める方向をあらわしている。
（ロ）緩める方向は、力を入れると外に広がるようになっているので、力を入れ易い。
（ハ）閉める方向は、力を入れると内に狭まるので、力を入れすぎることは無い。
（ニ）長尺部を差し込んでボルトを回すときは、人差し指で回せる。
（ホ）短尺部の先端は、完全に短尺部を抜かなくても、長尺部を回せるようになっている。
【図面の簡単な説明】
【００１０】
【図１】回転方向が分かる六角レンチの斜視図である。
【図２】図は、使用状態の平面図である。
【図３】図は、下向きに六角穴付ボルトがある場合の平面図である。
【図４】図は、短尺部の先端を削った斜視図である。
【図５】図は、六角穴付ボルトの断面図である。
【図６】図は、六角穴付ボルトの断面図で、角取部だけが接している。
【図７】図は、図６のＡ−Ａの断面図である。
【発明を実施するための最良の形態】
【００１１】
本発明の回転方向が分かる六角レンチは、長尺部（１）と短尺部（２）の間に曲げ部（３）があり、ほぼ直角に曲がっている。その長尺部（１）の中央を、先ほど曲げた曲げ部（３）の方向より９０度方向を変えて、５度から４５度の範囲で曲げて、湾曲部（４）を設ける。したがって、短尺部（２）が立ち上がりで、曲げ部（３）を介して長尺部（１）が真横の右にあるとしたら、湾曲部（４）の曲がりは５度から４５度の間で、手前に向いている。
【００１２】
その湾曲部（４）は、締めるときには内側を向いているので、力を入れるとより内側に歪むので短尺部（２）と、長尺部（１）の力点の半径が近くなると、力を入れると本来の回す角度より内側になるので、力が入り難い。そのため、六角穴付ボルトを締め過ぎることが少なくなった。
【００１３】
そして緩めるときは、外側に歪むようになっていて、外側に歪んでも長尺部（１）が真っ直ぐになるだけであるため、力が入りやすい。そのため、締めるときの力と、緩めるときの力の差があるので、緩めるときのことを考えている。また、力が足りないときはパイプを長尺部（１）に差し込んで回すが、長尺部（１）の湾曲部（４）は曲がっているので、パイプの中で固定さすことができ、パイプと長尺部（１）を一体化することができる。さらに弛める方向は、湾曲部（４）を真っ直ぐに近い方に歪ますので、パイプが今にも外れそうな危険性が無いので、力を入れやすい。
【００１４】
また、この回転方向が分かる六角レンチは、通常六角穴付ボルトが上を向いているときは、回す方向を間違うことは少ない。しかし、六角穴付ボルトが下を向いていて、当然六角穴付ボルトの頭が見えないとき、手探りで六角穴付ボルトに六角レンチを挿入して回す。このとき、六角レンチの長尺部（１）を撫でただけで、どちらに歪んでいるか分かるため、弛める方向が分かる。
【００１５】
以前は半信半疑であったため、弛める方向に回しているつもりでも、もしかすると逆では無いかと思い、思っただけで力は自動的に半分になっていた。そして、もし間違っていれば締めすぎてパッキンを切ることや、機械を壊すこともあったが、そのような問題は無くなった。
【００１６】
また、六角穴付ボルトが弛んで力を入れなくても回るときは、長尺部（１）を六角穴付ボルトの頭（５）に挿入して、短尺部（２）を回すと、回す半径が小さいので、障害物に当たる場合も少なくなる。さらに湾曲部（４）があることで、緩める方向に関しては、人差し指１本で緩めることができる。まず、人差し指を長尺部（１）の横に立てて、その指を弛める方向に回すと、湾曲部（４）の歪みが回す方向の先にある。さらに、曲げ部（３）が真横にあるので、その短尺部（２）を押して回転運動になる。したがって、締めるときは絡み付かないが、弛めるときは絡み付くので、指１本で回すことができる。
【実施例１】
【００１７】
本発明の回転方向が分かる六角レンチを、図面を参照して説明する。
図１は、回転方向が分かる六角レンチの斜視図であり、短尺部（２）は下を向いている。そして短尺部（２）の上部に曲げ部（３）があり、曲げ部（３）は約９０度に曲がって長尺部（１'）がある。その長尺部（１'）は、点線で描かれており、点線で描かれた部分が従来の六角レンチである。
【００１８】
その長尺部（１'）を少し曲げて湾曲部（４）を作り、実線の長尺部（１）が下に書かれている。その湾曲部（４）は、曲げ部（３）と約９０度曲げる方向を変えている。したがって、短尺部（２）が垂直に立っているとしたら、長尺部（１）は右にあり、その右に伸びた長尺部（１）を真横に曲げて湾曲部（４）を作り、長尺部（１）の先端は手前に向いている。その図面では、４５度に曲げているが、実際には５度から１０度でよい。
【実施例２】
【００１９】
使用方法の説明をする。
図２は、使用状態の平面図である。飛び出した母材（６）に、６ミリの六角穴付ボルトが取り付けてあり、六角穴付ボルトの頭（５）に短尺部（２）を挿入して、長尺部（１）で弛めるときである。締めるときは間違えようが無いので、説明は省く。弛めるときは、上から捻じ込まれた六角穴付ボルトの頭（５）が、母材（６）の上にある。その六角穴付ボルトの頭（５）に、回転方向が分かる六角レンチの短尺部（２）を挿入して、図面の矢印のように、上方向に回すと弛む。
【００２０】
しかし、素人のように弛む方向が分からないときには、長尺部（１）の湾曲部（４）があるので、視覚から弛める方向が分かる。そして長尺部（１）の先端を、矢印の方向に力を加えると弛むはずであるが、錆とか、熱で焼け付いてしまい、簡単には弛まないときがある。そのとき、湾曲部（４）の曲がりは、目で見ただけで方向が分かるので、弛む方向を間違えていることが無い。さらに、湾曲部（４）の曲がりは、弛めるときに外に開くようになっているので、力が入り易い。
【００２１】
さらに、力を加えても六角穴付ボルトが弛まないときは、長尺部（１）にパイプを挿しこみ、支点から力点を遠ざけて六角穴付ボルトを弛めることができる。パイプは、そのときの力で幾らでも長いパイプを使用することができる。それでも弛まないときは、ガスなどを使用して熱を加える方法もある。
【００２２】
図３は、母材（６）の下側に、６ミリの六角穴付ボルトがある場合である。その図は、六角穴付ボルトの頭（５）が下向きに付いており、手探りで六角穴付ボルトの頭（５）に回転方向が分かる六角レンチの短尺部（２）を挿入したところである。そして、弛める方向は逆の、図面では下に力を加えると弛む。
【００２３】
しかし、冷静に考えれば回転方向が分かっても、実際その場になると半信半疑になり、もしかして逆ではないかと思っただけで力が入らない。それは、もし逆なら機械を閉めすぎて壊してしまうことや、パッキンが切れてしまい装置全体を外して、パッキンを取り替えなくてはならない。そのような手間を考えると、力が半減するのも納得できる。また、回転方向が分かる六角レンチが見えないときには、手探りで長尺部（１）の湾曲部（４）を触ると弛める方向が分かる。方向さえ分かれば、力を１００％弛める方向に使用できるため、従来の湾曲部（４）が付いていない物よりは簡単に弛む。
【実施例３】
【００２４】
図４は、短尺部（２）の先端の角取部（２ａ）をあらわした斜視図である。この図は、六角穴付ボルトの頭（５）から、回転方向が分かる六角レンチの短尺部（２）を完全に抜かなくても、角取部（２ａ）があることで、長尺部（１）の角度を自由に変えられるものである。これを物に例えるとギアであり、角取部（２ａ）はニュートラルである。その六角レンチの先端は、２ミリほどが角を削って丸くなっており、その部分を角取部（２ａ）という。その角取部（２ａ）は、６ミリの回転方向が分かる六角レンチの場合、横幅より少し削ってあり、Φ５．８くらいが理想である。実際には、６ミリの六角穴付ボルトの六角レンチは５．６ミリであるからΦ５．４である。
【００２５】
図５は、回転方向が分かる六角レンチの短尺部（２）で、六角穴付ボルトを回しているところである。図面の母材（６）と六角穴付ボルトは断面図で、六角レンチの短尺部（２）は正面図で表した。普通の六角穴付ボルトは、短尺部（２）を挿入したときには当たらないように、底は緩やかな凹面になっている。そこで、その凹面になった部分を利用して、角取部（２ａ）を設けたので、性能を著しく低下させるものではない。
【００２６】
図６は、角取部（２ａ）だけを残し、六角穴付ボルトの上に出ている状態である。そして角取部（２ａ）だけが接しているので、図７のように六角穴付ボルトの頭（５）は、六角レンチの角取部（２ａ）は円なので、引っ掛かるところが無いため、自由に回転できる。
【００２７】
図７は、図６のＡ−Ａの断面図である。頭（５）は六角穴付ボルトであり、角取部（２ａ）は六角レンチの短尺部（２）の先端である。六角穴付ボルトの穴の、六角の直径で、六角の底面と上面の幅が６ミリとすると、中に入っている六角レンチの短尺部（２）に具備している角取部（２ａ）の直径はΦ５．９６からΦ５．８ぐらいがよい。
【実施例４】
【００２８】
では、使用方法に付いて説明する。図５の状態で、六角レンチの短尺部（２）を挿入して、弛める方向に長尺部（１）を回したら、障害物に当たってこれ以上は回らないところ、または自分の回す範囲で六角レンチを抜き、最初の角度の所へ六角レンチを挿入さす。
【００２９】
そのとき図６のように、六角レンチの短尺部（２）の角取部（２ａ）だけを、六角穴付ボルト中に留めると、角を取っているので回転自在になっている。つまり、六角穴付ボルトから完全に六角レンチを外すと、挿入までに時間が掛かり、また面倒であった。しかし、この角取部（２ａ）があるため、短尺部（２）を徐々に抜き、角取部（２ａ）だけで頭（５）に引っ掛かって要るときは回転自在であるため、長尺部（１）の角度を、最初の位置に戻して挿入する。そして、長尺部（１）を持って力を入れる。このような作業を繰返して六角穴付ボルトは弛む。
【００３０】
ではもっと詳しく説明すると、右手を長尺部（１）の先端を持ち、左手の指を短尺部（２）に沿える。すると、六角穴付ボルトに短尺部（２）が挿入されている状態がミリ単位で分かる。そこで、５ミリ六角穴付ボルトから短尺部（２）を抜いてやると、角取部（２ａ）だけが残り、六角穴付ボルトはそのままに、六角レンチの角度を６０度変えることができる。
【００３１】
そして、六角レンチを挿入して長尺部（１）を回す。回す角度は６０度、１２０度、１８０度と、６０度刻みであるが、それは六角レンチであるから仕方が無いことである。ちなみに、片口スッパナは表と裏を引っ繰り返すことで３０度刻みになり、めがねスッパナは引っ繰り返すことで１５度刻みになる。そして左手の指が触る場所は、六角穴付ボルトの頭（５）と、短尺部（２）を挿入している場所で、別々の指で押さえると、指の開いた角度でその状態を察知できる。
【実施例５】
【００３２】
符号の詳細な説明。
長尺部（１）は、市販の長尺部（１'）を曲げて湾曲部（４）を作っている。その長尺部（１）は、通常短尺部（２）を六角穴付ボルトに挿入して、長尺部（１）の先端に近いところを握って、力を入れて回す。
短尺部（２）は、六角穴付ボルトの頭に、六角レンチの短い方の短尺部（２）を挿入して回す。しかし、六角穴付ボルトが弛んでしまい、六角レンチを使用しなくてもよい場合には、長尺部（１）を六角穴付ボルトに挿入して、短尺部（２）を指に引っ掛けて回す方法もある。この方法は、時間が短縮できるので普通にしている作業である。
角取部（２ａ）は、短尺部（２）を完全に抜かなくても、長尺部（１）の方向を自由に代えるものである。その角取部（２ａ）は短尺部（２）の先端を１ミリ以上の円柱になっている部分であり、その角取部（２ａ）だけを残して自由に角度を変えるものである。したがってギアで言えばニュートラルと同じである。
【００３３】
曲げ部（３）は、短尺部（２）と長尺部（１）との間にあり、約３センチが短尺部（２）で残りが長尺部（１）となっている。そのためΦ６の六角レンチで、長尺部（１）は８センチから、長いものでは２０センチの物もある。
湾曲部（４）は、曲げ部（３）と９０度方向を変えて曲げたもので、図１では極端に曲げているが、１０度ぐらいの曲げでよい。そして湾曲部（４）は、締めるときは内側に歪トルクをセーブする。弛めるときは、外側に広がるように歪、トルクが入り易くなっている。
【００３４】
頭（５）は、六角穴付ボルトの一部であり、六角穴付ボルトのネジが付いている方向と反対側についており、ネジより太くなっているため、そこで止まる。
母材（６）は、例えば自動車のエンジンのヘットをイメージしてある。そして、母材（６）の下側に付いている六角穴付ボルトは、キャブレターの下に付いている場合を設定した。
六角穴付ボルトは、ボルトの頭に六角レンチを挿入する穴が付いており、その穴に六角レンチを挿入して回す。六角穴付ボルトの利点は、普通のボルトで角が出ているので広い範囲が必要であったが、六角穴付ボルトはボルトに対して約６割、ボルトの頭が大きいだけで済む。
ヘックスロープレンチは、六角の星型のレンチで、簡単に外しさないように六角の星型のボルトを使い、そのボルトを外すための工具である。
【産業上の利用可能性】
【００３５】
ヘックスロープレンチにも使用できる。ヘックスロープレンチは、六角レンチと形は似ているが、ヘックスロープレンチは星形をしており、使用するボルトの頭も星形をしている。そのヘックスロープレンチにも、長尺部を曲げて湾曲部を作ると回転方向が分かる六角レンチと同様な効果が得られる。
【符号の説明】
【００３６】
１  長尺部            ２  短尺部        ２ａ  角取部
３  曲げ部            ４  湾曲部
５  頭                ６  母材
【要約】
【課題】    従来の六角レンチは、長尺部（１）と短尺部（２）の間に曲げ部（３）があり、六角穴付ボルトを閉めたり、緩めたりしていた。しかし、六角穴付ボルトが下側に付いている場合、回転方向が逆になってしまい、回転方向が分からないことがあった。そこで回転方向が分かる六角レンチの、回転方向が分かり易いように、長尺部（１）を曲げてある。
【解決手段】    本発明の回転方向が分かる六角レンチは、六角棒の長尺部（１）と短尺部（２）の間に曲げ部（３）があり、その長尺部（１）の中央を５度から４５度の範囲で曲げて、湾曲部（４）を設ける。
【選択図】  図１【図１】
0006001799.tif 000002
【図２】
0006001799.tif 000003
【図３】
0006001799.tif 000004
【図４】
0006001799.tif 000005
【図５】
0006001799.tif 000006
【図６】
0006001799.tif 000007
【図７】
0006001799.tif 000008